(57)【特許請求の範囲】
【請求項１】
軸支点から一端に設けられた鍵までの長さが互いに異なり、夫々復帰用バネが係止される揺動自在の白鍵レバー及び黒鍵レバーのバネ係止構造において、前記白鍵レバー及び黒鍵レバーの軸支点を同一直線上に配置すると共に、白鍵レバーの軸支点から復帰用バネが係止されるバネ係止部までの距離と黒鍵レバーの軸支点から復帰用バネが係止されるバネ係止部までの距離とが相違するように各レバーのバネ係止部を設け、白鍵レバーの押下力と黒鍵レバーの押下力とがほぼ同一となるようにしたことを特徴とする大正琴の鍵レバーのバネ係止構造。
【請求項２】
軸支点から一端に設けられた鍵までの長さが互いに異なり、夫々復帰用バネが係止される揺動自在の白鍵レバー及び黒鍵レバーのバネ係止構造において、前記白鍵レバー及び黒鍵レバーの軸支点を同一直線上に配置すると共に、白鍵レバー及び黒鍵レバーの夫々に、復帰用バネが係止されるバネ係止部を、軸支点からの距離が互いに異なる位置の複数か所に設け、白鍵レバー及び黒鍵レバーの復帰用バネを、該複数か所のバネ係止部のうち、夫々互いに異なる位置のバネ係止部に係止し、白鍵レバーの押下力と黒鍵レバーの押下力とがほぼ同一となるようにしたことを特徴とする大正琴の鍵レバーのバネ係止構造。
【発明の詳細な説明】
【０００１】
【発明の属する技術分野】
この発明は、大正琴の鍵レバーにおける復帰用バネのバネ係止構造に関する。
【０００２】
【従来の技術】
従来、大正琴の鍵レバー機構は、図９及び図１０に示すように、大正琴本体ｆの上板ｆ１  に設けた支点軸ａ１  から白鍵ｂまでの長さが長い白鍵レバーｃと、支点軸ａ２  から黒鍵ｄまでの長さが短い黒鍵レバーｅが、支点軸ａ１  、ａ２  に夫々軸支され、各レバーｃ及びｅの支点軸ａ１  、ａ２  に対して同一位置に設けたバネ係止部ｇ、ｈに大正琴本体ｆに一端が取り付けられた復帰用バネｉ１  ，ｉ２  の他端が係止され、離鍵時に、白鍵レバーｃと黒鍵レバーｅが夫々復帰用バネｉ１  ，ｉ２  のバネ力により、上限ストッパｊに当接する構成になっている。
【０００３】
【発明が解決しようとする課題】
上述の鍵レバー機構において、白鍵レバーｃの支点軸ａ１から白鍵ｂまでの距離と黒鍵レバーｅの支点軸ａ２  から黒鍵ｄまでの距離が異なるので、白鍵レバーｃの先端に形成した白鍵ｂの押下力と黒鍵レバーｅの先端に形成した黒鍵ｄの押下力が異なってしまう。したがって、白鍵ｂと黒鍵ｄを押下して、白鍵レバーｃ及び黒鍵レバーｅで弦ｋをフレットｌに押し付けて演奏する時、異なる力で押下しなければならないので、演奏上好ましくないという不具合があった。
【０００４】
本発明は、従来の不具合を解消することができる大正琴の鍵レバーに係止する復帰用バネのバネ係止構造を提供することをその目的とするものである。
【０００５】
【課題を解決するための手段】
本発明は、上記の目的を達成するために、請求項１に記載のように、軸支点から一端に設けられた鍵までの長さが互いに異なり、夫々復帰用バネが係止される揺動自在の白鍵レバー及び黒鍵レバーのバネ係止構造において、前記白鍵レバー及び黒鍵レバーの軸支点を同一直線上に配置すると共に、白鍵レバーの軸支点から復帰用バネが係止されるバネ係止部までの距離と黒鍵レバーの軸支点から復帰用バネが係止されるバネ係止部までの距離とが相違するように各レバーのバネ係止部を設け、白鍵レバーの押下力と黒鍵レバーの押下力とがほぼ同一となるようにしたことを特徴とする。請求項２に記載のように、白鍵レバー及び黒鍵レバーの夫々に、復帰用バネが係止されるバネ係止部を、軸支点からの距離が互いに異なる位置の複数か所に設け、白鍵レバーの押下力と黒鍵レバーの押下力とがほぼ同一となるように、白鍵レバー及び黒鍵レバーの復帰用バネを、該複数か所のバネ係止部のうち、夫々互いに異なる位置のバネ係止部に係止してもよい。なお、この場合、前記白鍵レバー及び黒鍵レバーの夫々に設けられる複数箇所のバネ係止部は、白鍵レバーと黒鍵レバーとで互いに同一位置に設けても良く、互いに異なる位置に設けても良い。
【０００６】
請求項１記載の構成によれば、白鍵レバー及び黒鍵レバーの軸支点から白鍵及び黒鍵までの距離と白鍵レバー及び黒鍵レバーの重量と軸支点から弦をフレットに押さえ込むか所までの距離を考慮して、白鍵レバー及び黒鍵の押下力がほぼ同一になるように白鍵レバー及び黒鍵レバーの軸支点から復帰用バネのバネ係止部までの距離が設定される。従って、白鍵及び黒鍵を同じ力で押し下げて弦をフレットに押し付けることができ、演奏性能が向上する。請求項２に記載のように、白鍵レバー及び黒鍵レバーの夫々に、バネ係止部を、軸支点からの距離が互いに異なる位置の複数か所に設けると、白鍵及び黒鍵の押下力を調整することができる。
【０００７】
【発明の実施の形態】
以下に本発明の実施形態例を図面を参照して説明する。
【０００８】
図１は、本発明の一実施形態例の大正琴の平面図、図２は、その横断面図である。
【０００９】
同図において、１は白鍵、２は黒鍵、３は琴本体、４は合成樹脂又は金属等から成る白鍵レバー、５は同一材料から成る黒鍵レバー、６は琴本体３に張設され白鍵レバー４及び黒鍵レバー５によりフレット７に押し付けられる弦である。
【００１０】
図２に示すように、白鍵１は、白鍵レバー４の一端に取り付けられ、この白鍵レバー４は、その他端が琴本体３の上板３１  の下面に設けられた支点軸８ａに揺動自在に軸支され、軸支点より白鍵１側に位置するバネ係止部９ａに、一端が前記上板３ａに固定された復帰用バネ１０ａの他端が係止されて、前記上板３１  に設けた上限ストッパ１１に当接している。また黒鍵２も黒鍵レバー５の一端に取り付けられ、この黒鍵レバー５は、その他端が上板３１  の支点軸８ｂに回動自在に軸支され、軸支点より黒鍵２側に位置するバネ係止部９ｂに、一端が前記上板３１  に固定された復帰用バネ１０ｂの他端が係止されて、上限ストッパ１１に当接している。
【００１１】
前記白鍵レバー４及び黒鍵レバー５の各バネ係止部９ａ及び９ｂは、支点軸８ａ、８ｂから白鍵１及び黒鍵２までの距離、自重並びに支点軸８ａ，８ｂから弦６をフレット７に押さえ込む箇所までの距離を考慮して白鍵１及び黒鍵２の押下力がほぼ同一となるようにその位置が設定される。
【００１２】
かくして、白鍵１及び黒鍵２の押下力は、白鍵レバー４及び黒鍵レバー５の軸支点から白鍵１及び黒鍵２までの長さが異なっていてもほぼ同一となる。
【００１３】
図２は、白鍵レバー４及び黒鍵レバー５の軸支点は夫々の後端の軸支点に対して同一位置に設けられているが、図３に示すように、白鍵レバー４の軸支点から後端までの長さを黒鍵レバー５の軸支点から後端までの長さより長く形成し、その後端部に形成したバネ係止部９ａ及び９ｂに夫々同一の復帰用バネ１０ａ，１０ｂの一端を係止するように構成してもよい。上記軸止点から後端までの長さは上記実施例と同様な考慮のもとに設定される。復帰用バネ１０ａ，１０ｂは、いずれも白鍵レバー４及び黒鍵レバー５を、その後端を押し下げることによって上限ストッパに当接するまで付勢する。
【００１４】
この構成によって、白鍵１の押下力を黒鍵２の押下力に近付けることができる。  図４は、本発明の他の実施形態例を示す。
【００１５】
この実施形態例では、白鍵レバー４及び黒鍵レバー５に軸支点に対して互いに同じ位置に複数個のバネ係止部９ａ，９ｂ，９ｃ，９ｄとしての孔が形成され、復帰用バネ１０ａ，１０ｂを夫々係止するバネ係止部９ａ，９ｂ，９ｃ又は９ｄを選択し、例えば、白鍵レバー４ではバネ係止部９ａに、黒鍵レバー５ではバネ係止部９ｂに夫々復帰用バネ１０ａ及び１０ｂを係止する。この構成によって黒鍵２の押下力を白鍵１の押下力に容易に近付けることができると共にこの押下力を段階的に調整することができる。
【００１６】
図５に示すように、黒鍵レバー５の複数のバネ係止部９ｂ，９ｄとしての孔は，白鍵レバー４の複数のバネ係止部９ａ、９ｃとしての孔とは、軸支点に対して異なる位置に形成してもよく、この場合でも、復帰用バネ１０ａ及び１０ｂを係支するバネ係止部９ａ、９ｃ及び９ｂ、９ｄを選択し、例えば、白鍵レバー４ではバネ係止部９ａに、黒鍵レバーではバネ係止部９ｂに夫々復帰用バネ１０ａ，１０ｂを係止する。
【００１７】
図６及び図７は、いずれも白鍵レバー４及び黒鍵レバー５は、支点軸８ａ及び８ｂを後端部の上縁に形成した凹部１１に係合することにより軸支されており、図６では、軸支部に対して夫々同じ位置の下縁にバネ係支部９ａ、９ｃ、９ｂ及び９ｄである凹部が形成され、図７では、白鍵レバー４及び黒鍵レバー５の軸支部に対して夫々異なる位置の下縁にバネ係止部９ａ、９ｃ及び９ｂ、９ｄの凹部が形成され、このの凹部を選択し、例えば、白鍵レバー４ではバネ係支部９ａに、黒鍵レバー５ではバネ係止部９ｂに夫々復帰用バネ１０ａ、１０ｂが係止されることにより黒鍵の押下力が白鍵の押下力にほぼ等しくされる。この復帰用バネ１０ａ、１０ｂは、いずれも白鍵レバー４及び黒鍵レバー５を上方に引っ張る。
【００１８】
図８では、白鍵レバー４及び黒鍵レバー５は、その後端部より前の下縁に形成した凹部１１に支点軸８ａ、８ｂを係合することにより夫々軸支され、軸支部に対して同じ位置に形成するバネ係止部９ａ、９ｂは白鍵レバー４及び黒鍵レバー５の軸支部より後方の上縁に夫々形成され、復帰用バネ１０ａ、１０ｂは白鍵レバー４及び黒鍵レバー５の下方に配置され，復帰用バネ１０ａは、白鍵レバーのバネ係止部９ａに、復帰用バネ１０ｂは、黒鍵レバー５のバネ係止部９ｂに夫々係止されて、黒鍵の押下力が白鍵の押下力にほぼ等しくされる。
【００１９】
【発明の効果】
本発明は、その構成によるときは、白鍵レバーの軸支点から白鍵までの距離と黒鍵レバーの軸支点から黒鍵までの距離が異なる場合でも、白鍵及び黒鍵の押下力をほぼ同じにすることができて演奏性能を向上することができ、又白鍵レバー及び黒鍵レバーの復帰用バネの係止位置を複数か所設けることによって白鍵及び黒鍵の押下力の調整をなすことができるという効果を有する。
【図面の簡単な説明】
【図１】本発明の大正琴の一例の斜視図。
【図２】図１に示す大正琴の横断面図。
【図３】本発明に係る鍵レバーのバネ係止構造の第１例の側面図。
【図４】本発明に係る鍵レバーのバネ係止構造の第２例の側面図。
【図５】本発明に係る鍵レバーのバネ係止構造の第３例の側面図。
【図６】本発明に係る鍵レバーのバネ係止構造の第４例の側面図。
【図７】本発明に係る鍵レバーのバネ係止構造の第５例の側面図。
【図８】本発明に係る鍵レバーのバネ係止構造の第６例の側面図。
【図９】従来の鍵レバーのバネ係止構造の１例の側面図。
【図１０】従来の鍵レバーのバネ係止構造の他例の側面図。
【符号の説明】
１  白鍵                            ２  黒鍵
４  白鍵レバー                      ５  黒鍵レバー
６  弦                              ８  支点軸
９ａ、９ｂ  ばね係止部          １０ａ、１０ｂ  復帰用バネ
【図１】
0003549628.tif 000002
【図２】
0003549628.tif 000003
【図３】
0003549628.tif 000004
【図４】
0003549628.tif 000005
【図５】
0003549628.tif 000006
【図６】
0003549628.tif 000007
【図７】
0003549628.tif 000008
【図８】
0003549628.tif 000009
【図９】
0003549628.tif 000010
【図１０】
0003549628.tif 000011